(57)【要約】      （修正有）【課題】前屈みの人が装着しても見栄えのよい下衣を提供する。【解決手段】１枚のベルト部材１と、２枚の前身頃２、そして２枚の後ろ身頃３から構成される。ベルト部材１は、上端１ａは直線であり、下端１ｂは、後ろ中心から前中心に進むに従って上方にカーブする形状に形成し、前身頃２は、左・右２枚設け、上端が前中心から脇に向けてカーブ状に形成し、中途にダーツ部４を形成するようにし、後ろ身頃３も、左・右２枚設け、上端が後ろ中心から脇に向けてカーブ状に形成し、中途にダーツ部４′を形成する。【選択図】図３
0003178105.tif 000002
【実用新案登録請求の範囲】
【請求項１】
主として、１枚のベルト部材（１）と、２枚の前身頃（２）（２′）、そして２枚の後ろ身頃（３）（３′）から構成される下衣において、
該ベルト部材（１）は、上端（１ａ）を直線に形成し、下端（１ｂ）は、後中心（Ａ）からそれぞれ前中心（Ｂ）に進むに従って上方に向けてカーブする形状に形成し、
前身頃（２）は、左・右２枚を設け、上端（２ａ）前中心（Ｂ）から脇（Ｃ）に向けて前記ベルト部材（１）の下端（１ｂ）に沿うカーブ状に形成し、中途にダーツ（４）を設け、身体に立体的にフィットするように構成し、
後ろ身頃（３）も、左・右２枚を設け、上端（３ａ）が後中心（Ｄ）から脇（Ｃ）に向けて、前記ベルト部材（１）の下端（１ｂ）に沿うカーブ状に形成し、中途にダーツ（４′）を設けて身体に立体的にフィットするよう構成した
ことを特徴とする下衣。
【考案の詳細な説明】
【技術分野】
【０００１】
この考案は、下衣に関するものであり、特に、前屈みの体型になられた人が履くズボンである。
【背景技術】
【０００２】
従来、高齢による前屈み気味の人が、通常市販されている下衣（ズボン）を着用した場合、後ろ身頃の腰部は下方にさがり、一方、前身頃の部分は嵩張り、波打ったように垂れ下がってしまうものであった。
【０００３】
また、それに伴い後ろ身頃には、上衣との隙間から内部の下着、あるいは肌が直接露出してしまい、見た目に体裁が悪いばかりでなく、着用している本人も、後ろに引っ張られるような違和感がある。
【０００４】
さらに、肌を露出することにより冷えの大いなる原因ともなっている。
【０００５】
そのため、前屈み，即ち，腰の曲がった人が装着する下衣の技術が開示され、その体型にフィットし、前身頃と後ろ身頃を傾斜することによって、立体的な腰部の湾曲に対応させるものである。例えば、特許文献１のように。
【先行技術文献】
【特許文献】
【０００６】
【特許文献１】特許第４２７２６４９号公報
【０００７】
しかし、この技術は、腰廻り部分が平面化している為、ゴム入れによるギャザーの量が多く、嵩張り、見た目に実用衣料の域を抜け出せないものとなっている。
【考案の概要】
【考案が解決しようとする課題】
【０００８】
そこで、この考案は、下衣を構成する部材の形状を補正・変更することにより、前屈みの人が履いても見栄えのよい下衣を提供・開発するものである。
【課題を解決するための手段】
【０００９】
上記の課題を解決するため、この考案は、ベルト部分を特殊な形状にすることにより前屈みの人の背中の不足分を補い、ベルトの脇部分を一体化することによりウェスト脇部分の厚みを解消し、前屈みの人が見栄えよく装着できる下衣である。
【考案の効果】
【００１０】
この考案によると、ベルト部分を、腰用サポーターの形状にする事により、背中の不足部分を補うことにより、見栄えのよい下衣を得ることができる等の優れた効果を奏する。
【００１１】
また、前中心がＶ字状になり、前屈みによる腹部の圧迫感を軽減できる等の効果も奏するものである。
【００１２】
さらに、ベルト部材の脇を一体化することにより、ウェスト脇部分の厚みが解消され、脇部がすっきりとしたシルエットとなる等の有益なる効果を奏するものである。
【００１３】
また、前身頃のウェスト部分をカーブ状にカットするため、前屈みによるダブつきを解消できるものである。
【００１４】
そして、前身頃はもちろん、後ろ身頃にもダーツ部を入れたことにより身体の膨らみにフィットする立体的な形状の下衣を得ることができる。
【００１５】
さらに、ベルト部材の下にポケット部（Ｅ）を下げて形成することにより、手の出し入れを楽にできるポケットを設けることが出来る。
【００１６】
ベルト部材（１）の前中心（Ｌ）の内側に、ゴム入れ替え口（５）を縫い開き、ゴム（６）を取り出し調節することにより、腹廻りにフィットする下衣が得られる等の極めて有益なる効果を奏するものである。
【図面の簡単な説明】
【００１７】
【図１】この考案の一実施例を示す下衣の部材を示す説明図である。
【図２】この考案の一実施例を示す正面図である。
【図３】この考案の一実施例を示す右側面図である。
【図４】この考案の一実施例を示す背面図である。
【考案を実施するための形態】
【００１８】
以下、この考案について詳細に説明する。尚、この考案においては、以下の記述に限定されるものではなく、この考案の要旨を逸脱しない範囲においては適宜変更可能である。
【実施例】
【００１９】
次に、この考案の一実施例を図１に従って詳述すると、主として、１枚のベルト部材（１）と、２枚の前身頃（２）、そして２枚の後ろ身頃（３）から構成される下衣において、該ベルト部材（１）は、上端（１ａ）を直線に形成し、下端（１ｂ）は、後ろ中心（Ａ）からそれぞれ前中心（Ｂ）に進むに従って上方に向けてカーブする形状に形成し、前身頃（２）は、左・右２枚を設け、上端（２ａ）が前中心（Ｂ）から脇（Ｃ）に向けて前記ベルト部材（１）の下端（１ｂ）に沿うカーブ状に形成し、中途にダーツ（４）を設けるようにし、後ろ身頃（３）も、左・右２枚を設け、上端（３ａ）が後ろ中心（Ｄ）から脇（Ｃ）に向けて、前記ベルト部材（１）の下端（１ｂ）に沿うカーブ状に形成し、中途にダーツ（４′）を設けるよう構成したことを特徴とする下衣から構成されるものである。
【００２０】
尚、前股ぐりの符号（Ｆ）の、左・右２枚、後ろ股ぐりの符号（Ｇ）の左・右２枚をそれぞれ縫着し、前股ぐり下方先（Ｈ）、後ろ股ぐり下方先（Ｈ′）を接点として、前身頃（２）（２′）、後ろ身頃（３）（３′）の右又は左の股下裾（Ｊ）から股下裾（Ｊ）までの股下（Ｉ）を縫着するものである。
【００２１】
さらに、前身頃（２）の脇（Ｃ）と、後ろ身頃（３）の脇（Ｃ′）とを接合してこれら脇（Ｃ）（Ｃ′）より、脇（Ｃ）から爪先部である脇裾（Ｋ）に向けてそれぞれ縫着するものである。
【００２２】
これら、２枚の前身頃（２）（２′）、２枚の後ろ身頃（３）（３′）を縫い合わせた上端を、前記ベルト部材（１）の下端（１ｂ）と縫着することにより、下衣は完成するものである。
【００２３】
尚、ベルト部材（１）は、前中心（Ｂ）で、両端が接続され、前中心部内側の、外見では認識できない部所に、ゴム入れ替え口（５）を形成している。
【００２４】
また、ゴム（６）は、ベルト上端を折り返して入れるよう構成している。
【産業上の利用可能性】
【００２５】
この考案によると、下衣の技術を確立し、実施・販売することにより産業上の利用可能性がある。
【符号の説明】
【００２６】
１  ベルト部材
１ａ  ベルト部材の上端
１ｂ  ベルト部材の下端
２  前身頃
２′  前身頃
２ａ  前身頃の上端
３  後ろ身頃
３  後ろ身頃
３ａ  後ろ身頃の上端
４  前ダーツ部
４′後ダーツ部
５  入れ替え口
６  ゴム
Ａ  後ろ中心
Ｂ  前中心
Ｃ  脇
Ｃ′脇
Ｄ  後ろ中心
Ｅ  ポケット部
Ｆ  前股ぐり
Ｇ  後ろ股ぐり
Ｈ  前身頃の股ぐり下方先
Ｈ′後身頃の股ぐり下方先
Ｉ  前身頃の股下
Ｉ′後身頃の股下
Ｊ  股下裾
Ｋ  脇裾
Ｌ  ベルト前端
【図１】
0003178105.tif 000003
【図２】
0003178105.tif 000004
【図３】
0003178105.tif 000005
【図４】
0003178105.tif 000006